(57)【要約】【課題】  使用前あるいは使用後のラックの保管のために場所を取らず、しかも異なる軸方向長さのロール製品でも１種類のラックで輸送あるいは保管可能なロール製品用ラックを提供すること。【解決手段】  パレット４と、パレット４の上に着脱自在に配置され、ロール製品２０の軸方向両端部から飛び出ている支軸２２の荷重を受ける受け溝１４が形成してある少なくとも一対の端壁パネル１２と、ロール製品２０の軸線方向に沿って一対の端壁パネル１２を相互に着脱自在に連結する連結ロッド６０と、を有するラック２である。ロール製品２０の軸線方向の長さに合わせて、パレット４の上に一対の端壁パネル１２が着脱自在に配置される位置を可変にしてある。【選択図】        図１
2005335747.tif 000002
【特許請求の範囲】
【請求項１】
パレットと、
前記パレットの上に着脱自在に配置され、ロール製品の軸方向両端部から飛び出ている支軸の荷重を受ける受け溝が形成してある少なくとも一対の端壁パネルと、
前記ロール製品の軸線方向に沿って前記一対の端壁パネルを相互に着脱自在に連結する連結ロッドと、を有し、
前記ロール製品の軸線方向の長さに合わせて、前記パレットの上に前記一対の端壁パネルが着脱自在に配置される位置を可変にしてあることを特徴とするロール製品用ラック。
【請求項２】
各端壁パネルの両側部には、支柱が固定してあり、
前記パレットの上には、前記支柱の下端部が着脱自在に挿入される差込孔が、前記ロール製品の軸線方向に沿って複数位置に形成してある請求項１に記載のロール製品用ラック。
【請求項３】
前記パレットの四隅には、それぞれコーナー金具が固定してあり、
各コーナー金具の内側には、複数の前記差込孔が形成してあり、
前記コーナー金具の外側には、前記連結ロッドを着脱自在に取り付け可能な折り畳み時用受け部が複数箇所に形成してあり、
前記折り畳み時用受け部には、長さの異なる前記連結ロッドを着脱自在に取り付け可能になっていることを特徴とする請求項２に記載のロール製品用ラック。
【請求項４】
前記パレットの上面からの前記コーナー金具の高さは、前記パレットから前記一対の端壁パネルを取り外して折り畳んだ状態の厚みよりも高く、
前記コーナー金具の上には、別のロール製品用ラックのパレットの底部が載せられるように構成してあることを特徴とする請求項３に記載のロール製品用ラック。
【請求項５】
前記支柱の上部には、前記連結ロッドの両端部が着脱自在に取り付けられる連結部が形成してある請求項２〜４のいずれかに記載のロール製品用ラック。
【請求項６】
各端壁パネルに形成してある受け溝には、前記支軸の軸方向移動を制限する軸方向ストッパ部材と、前記受け溝を開閉すると共に前記支軸の上方移動を制限する開閉部材とが装着してある請求項１〜５のいずれかに記載のロール製品用ラック。
【請求項７】
前記連結ロッドは、当該ロッドの長手方向に沿って長さを変化できる構造である請求項１〜６のいずれかに記載のロール製品用ラック。
【発明の詳細な説明】
【技術分野】
【０００１】
本発明は、ロール製品用ラックに係り、さらに詳しくは、使用前あるいは使用後のラックの保管のために場所を取らず、しかも異なる軸方向長さのロール製品でも１種類のラックで輸送あるいは保管可能なロール製品用ラックに関する。
【背景技術】
【０００２】
ロール形状の重量物などのロール製品を輸送あるいは貯蔵するための組立式ラックとして、たとえばロール製品の支軸を、パレットの上に組立自在に装着してある端壁パネルの一部を利用して保持するように構成してあるロール製品用ラックが知られている。
【０００３】
このロール製品用ラックにおいて、ロール製品を収容しない状態では、できる限りコンパクトに収納しておくことが有利であるため、折り畳み式で且つ積み重ね可能なものが一般的に用いられている（たとえば特許文献１）。
【０００４】
しかしながら、従来のロール製品用ラックは、折り畳み式で且つ積み重ね可能なものにするために、単一の軸方向長さのロール製品のみを収容して搬送するようになっていた。近年、ロール製品のサイズの変化に伴い、異なる軸方向長さのロール製品を輸送あるいは保管する必要性が高まっている。そのため、従来では、大きさの異なる複数種類のラックを多数所有する必要があり、使用前あるいは使用後のラックの保管のために大きなスペースを必要としていた。
【特許文献１】特表２００３−５２６５７９号公報
【発明の開示】
【発明が解決しようとする課題】
【０００５】
本発明は、このような実状に鑑みてなされ、使用前あるいは使用後のラックの保管のために場所を取らず、しかも異なる軸方向長さのロール製品でも１種類のラックで輸送あるいは保管可能なロール製品用ラックを提供することを目的とする。
【課題を解決するための手段】
【０００６】
上記目的を達成するために、本発明に係るロール製品用ラックは、
パレットと、
前記パレットの上に着脱自在に配置され、ロール製品の軸方向両端部から飛び出ている支軸の荷重を受ける受け溝が形成してある少なくとも一対の端壁パネルと、
前記ロール製品の軸線方向に沿って前記一対の端壁パネルを相互に着脱自在に連結する連結ロッドと、を有し、
前記ロール製品の軸線方向の長さに合わせて、前記パレットの上に前記一対の端壁パネルが着脱自在に配置される位置を可変にしてあることを特徴とする。
【０００７】
本発明に係るロール製品用ラックでは、ラックの使用前あるいは使用後には、連結ロッドが端壁パネルから外され、その後に端壁パネルがパレットから取り外され、パレットの上に折り畳まれる。したがって、使用前あるいは使用後のラックの保管のために場所を取らず、省スペースが図られる。
【０００８】
また、軸方向長さが異なるロール製品をラックに取り付ける場合には、パレットに対して一対の端壁パネルが取り付けられる軸方向位置をずらして、一対の端壁パネルをパレットに取り付け、その後に、連結ロッドで端壁パネル相互を連結すればよい。したがって、異なる軸方向長さのロール製品でも１種類のラックで輸送あるいは保管可能になる。
【０００９】
好ましくは、各端壁パネルの両側部には、支柱が固定してあり、前記パレットの上には、前記支柱の下端部が着脱自在に挿入される差込孔が、前記ロール製品の軸線方向に沿って複数位置に形成してある。端壁パネルの両側部に支柱を固定することで、ロール製品の荷重を受け持つ端壁パネルの補強ができる。好ましくは、端壁パネルには、端壁パネルの両側部に固定された支柱を連結する補強部材が装着してある。その場合には、さらに補強効果が高まる。また、支柱の下端部をパレットの差込孔に着脱自在に挿入させる構造により、パレットに対して一対の端壁パネルが取り付けられる軸方向位置をずらし易くなる。
【００１０】
好ましくは、前記パレットの四隅には、それぞれコーナー金具が固定してあり、
各コーナー金具の内側には、複数の前記差込孔が形成してあり、
前記コーナー金具の外側には、前記連結ロッドを着脱自在に取り付け可能な折り畳み時用受け部が複数箇所に形成してあり、
前記折り畳み時用受け部には、長さの異なる前記連結ロッドを着脱自在に取り付け可能になっている。
【００１１】
パレットの四隅にそれぞれコーナー金具が固定することで、差込孔に差し込まれる端壁パネルの支柱の下端部にコーナー金具が接触して、支柱がパレットの上面に対して垂直方向に立設することを支持することができる。また、各コーナー金具の外側に折り畳み時用受け部を形成することで、使用しない連結ロッドをパレットに取り付けておくことが可能になる。
【００１２】
好ましくは、前記パレットの上面からの前記コーナー金具の高さは、前記パレットから前記一対の端壁パネルを取り外して折り畳んだ状態の厚みよりも高く、
前記コーナー金具の上には、別のロール製品輸送用ラックのパレットの底部が載せられるように構成してある。このような構成にすることで、不使用のパレットを積み重ねることが可能になり、省スペース化にさらに寄与する。
【００１３】
好ましくは、前記支柱の上部には、前記連結ロッドの両端部が着脱自在に取り付けられる連結部が形成してある。支柱相互を下部で連結するよりは、上部で連結した方が、支柱相互の連結強度が向上する。
【００１４】
好ましくは、各端壁パネルに形成してある受け溝には、前記支軸の軸方向移動を制限する軸方向ストッパ部材と、前記受け溝を開閉すると共に前記支軸の上方移動を制限する開閉部材とが装着してある。このような構成にすることで、ロール製品を本発明のラックに取り付けて搬送する場合に、振動などによるラックに対するロール製品の移動を防止することができる。
【００１５】
好ましくは、前記連結ロッドは、当該ロッドの長手方向に沿って長さを変化できる構造である。このような構成にすることで、ロール製品の軸方向長さに合わせて、長さの異なる複数の連結ロッドを準備する必要が無くなる。
【発明の効果】
【００１６】
本発明によれば、使用前あるいは使用後のラックの保管のために場所を取らず、しかも異なる軸方向長さのロール製品でも１種類のラックで輸送あるいは保管可能なロール製品用ラックを提供することができる。
【発明を実施するための最良の形態】
【００１７】
以下、本発明を、図面に示す実施形態に基づき説明する。
図１は本発明の一実施形態に係るロール製品用ラックの側面図、
図２は図１に示すラックの正面図、
図３は図１〜図２に示すラックにおける端壁パネルをパレットから分離した状態を示す正面図、
図４は図１〜図３に示すパレットのみの平面図、
図５は図１〜図３に示す端壁パネルに形成してある受け溝の要部を示す斜視図、
図６（Ａ）および図６（Ｂ）は図１に示す連結ロッドの概略図である。
【００１８】
図１および図２に示すように、本実施形態に係るロール製品用ラック２は、ロール製品２０を収容して搬送または保管するために用いられ、その下端部に、パレット４を有する。このパレット４の４つの側部には、フォークリフトの爪部が差し込まれるリフト用凹部６が形成してある。パレット４の上面には、ラック２の底板８が形成してある。
【００１９】
図４に示すように、パレット４は、略長方形の平面形状を有する。このパレット４の長手方向（Ｘ軸方向）の両端部には、図１〜図３に示すように、それぞれ端壁パネル１２がパレット４の底板８の面に対して略垂直に装着される。各端壁パネル１２の両側には、それぞれ支柱１０が固定してある。支柱１０を含む端壁パネルの幅は、パレット４の短手方向幅（Ｙ軸方向の幅）と略同じである。なお、Ｙ軸は、パレット４の底板８の面内で、Ｘ軸と垂直である。また、Ｘ軸は、ロール製品２０の軸線方向と略平行である。
【００２０】
図３に示す端壁パネル１２の支柱１０の下端部１０ａは、図４に示すパレット４の底板８の四隅にそれぞれ形成してある一対の差込孔７０ａ，７０ｂのいずれかに挿入され、端壁パネル１２がパレット４の上にＺ軸方向に着脱自在に取り付けられる。なお、Ｚ軸方向は、パレット４の底板８の面に対して垂直な高さ方向であり、Ｘ軸およびＹ軸と略垂直な方向である。
【００２１】
パレット４の底板８の四隅には、それぞれコーナー金具５０が接続してある。図４に示すように、各コーナー金具５０は、四隅に位置する一対の差込孔７０ａ，７０ｂを覆うように形成してある。各コーナー金具５０のＹ軸方向の外側には、一対の差込孔７０ａ，７０ｂに対応するＸ軸方向の位置に、折り畳み時用受け部５２ａ，５２ｂが形成してある。これらの受け部５２ａ，５２ｂには、後述するように、使用前または使用後の連結ロッド６０の端部が差し込まれるようになっている。
【００２２】
図３に示すように、パレット４の底板８の上面からのコーナー金具５０の高さＨは、パレット４から一対の端壁パネル１２を取り外して、底板８の上面に横置きにして折り畳んだ状態の厚みよりも高く設定してある。また、コーナー金具５０の上には、別のロール製品用ラック２のパレット４の底部が載せられるように構成してある。
【００２３】
図１〜図３に示すように、支柱１０の上部には、連結ロッド６０の両端部が着脱自在に取り付けられる連結部６２が形成してある。連結ロッド６０は、図６（Ａ）および図６（Ｂ）に示すように、その軸方向長さを可変に構成してある。すなわち、ロッド６０は、真っ直ぐな角パイプで構成してある連結パイプ６４と、その連結パイプ６４の一端に固定してあるＬ字状の第１棒材６６と、連結パイプ６４の他端の内部に入り込み、連結パイプ６４に対して軸方向移動自在に取り付けられるＬ字状の第２棒材６８とを有する。
【００２４】
連結パイプ６４の他端内部に入り込んでいる第２棒材６８には、その長手方向に沿って、たとえば２カ所に取り付け孔６３が形成してある。連結パイプ６４の他端からの第２棒材６８の突出長さを調節し、いずれかの取り付け孔６３を選択してボルト６５により第２棒材６８を連結パイプ６４の他端に接続することで、ロッド６０の長さを調節することができる。
【００２５】
図６（Ａ）は、ロッド６０が短く調節された場合を示し、図６（Ｂ）は、ロッド６０が長く調節された場合を示す。図１では、図３に示す端壁パネル１２の支柱１０の下端１０ａが、図４に示すパレット４の底板８の四隅に形成してある内側の差込孔７０ａに挿入された状態を示す。図１に示すように、その場合には、短く調節された連結ロッド６０の各端部が支柱１０の連結部６２の内部に着脱自在に入り込み、Ｘ軸方向の支柱１０の相互を上端部で連結し、ラック２を構成している。
【００２６】
支柱１０の高さは、ラック２の内部に収容されるロール製品２０の直径よりも大きく設定される。図２、図３および図５に示すように、端壁パネル１２の上端部中央には、ロール製品２０の軸方向両端部から飛び出ている支軸２２の荷重を受ける受け溝１４が形成してある。また、各端壁パネル１２のＸ軸方向の外側下方には、パネル両側の支柱１０を連結するように補強用棒材１６が配置してあり、パネル１２を補強している。
【００２７】
図５に示すように、パネル１２の上端縁および受け溝１４の周囲縁には、フランジ部３０が形成してあり、それらの縁を補強している。受け溝１４の底は、略Ｖ字形状の凹部になっており、その部分には、緩衝材３２が装着してある。緩衝材３２は、たとえばゴム材で構成され、ロール製品２０の支軸３２の下部が直接に接触し、その荷重を受けることになる。
【００２８】
受け溝１４の底からさらにＺ軸方向の下方に位置する補強用棒材１６の中央上部には、軸方向ストッパ部材１８が固定してある。軸方向ストッパ部材１８の上端部は、受け溝１４の底部にまで飛び出し、支軸２２の端部に接触し、支軸２２が受け溝１４からＸ軸方向の外側に飛び出し移動することを制限している。なお、ストッパ部材１８の内側（支軸に接触する側）にも、緩衝材３２を装着しても良い。
【００２９】
受け溝１４の上部開口端には、受け溝１４を開閉すると共に支軸２２の上方移動を制限する開閉部材３４が、パネル１２に対して回動軸３６を中心として矢印Ａ方向に回動自在に装着してある。開閉部材３４は、受け溝１４の上部開口端の幅よりも長い細長い形状を持ち、パネル１２に対して回動軸３６を中心として矢印Ａ方向に回動することで、受け溝１４の上部開口端を開閉するようになっている。
【００３０】
開閉部材３４の長手方向の略中央部下側には、押さえ部材４０が固定してあり、押さえ部材４０の下側には、緩衝材４２が固定してある。緩衝材４２は、緩衝材３２と同様な材質で構成してある。緩衝材４２は、支軸２２の上部に接触し、支軸２２が受け溝１４から上方に移動することを制限するようになっている。
【００３１】
開閉部材３４の回動先端側には、止め金具受け部３８が固定してある。この止め金具受け部３８には、パネル１２に固定してある止め金具３９が着脱自在に連結される。止め金具３９が受け部３８に連結された状態では、開閉部材３４が受け溝１４の上部開口端を閉じており、開閉部材３４の両端ともパネル１２に固定され、矢印Ａ方向への回動移動が制限され、支軸２２が受け溝１４内にしっかりと固定される。なお、止め金具３９が受け部３８から外された状態では、開閉部材３４は、矢印Ａ方向への回動移動が可能になり、支軸２２をロール製品２０と共に、ラック２から取り外し可能となる。
【００３２】
本実施形態に係るロール製品用ラック２では、ラック２の使用前あるいは使用後には、連結ロッド６０が端壁パネル１２の支柱１０に形成してある連結部６２から外される。その後に、端壁パネル１２がパレット４から取り外され、パレット４の上に横置きに折り重ねられる（折り畳まれる）。
【００３３】
外された連結ロッド６０の端部は、パレット４のコーナー金具５０のＹ軸方向外面に形成してある折り畳み時用受け部５２ａ，５２ｂに取り付けられる。いずれの折り畳み時用受け部５２ａ，５２ｂに取り付けられるかは、連結ロッド６０の長さによる。
【００３４】
底板８の上に折り畳まれた一対のパネル１２の高さは、図３に示すコーナー金具５０の高さＨよりも低いので、底板８の上に一対のパネル１２を折り畳んで載せたままで、コーナー金具５０の上に、折り畳んだ状態の別のラック２のパレット４の底部を載せることができる。したがって、使用前あるいは使用後のラックの保管のために場所を取らず、省スペースが図られる。
【００３５】
ラック２を使用してロール製品２０を搬送または保管する場合には、まず、パレット４の上に折り畳まれた端壁パネル１２を、パレット４の上で立設させ、図３に示すパネル１２の支柱１０の下端１０ａを、パレット４の四隅に形成してある差込孔７０ａ，７０ｂに差し込む。いずれの差込孔７０ａ，７０ｂに、支柱１０の下端１０ａを差し込むかは、ロール製品２０の軸方向の長さによる。
【００３６】
たとえばロール製品２０の軸方向の長さが短い場合には、一対のパネル１２の支柱１０の下端１０ａは、全て内側の差込孔７０ａの中に差し込む。そうすれば、一対のパネル１２，１２の間のＸ軸方向の間隔は短くなり、軸方向長さが短いロール製品２０の支軸２２を保持するために都合が良くなる。
【００３７】
また、ロール製品２０の軸方向の長さが長い場合には、一対のパネル１２の支柱１０の下端１０ａは、全て外側の差込孔７０ｂの中に差し込む。そうすれば、一対のパネル１２，１２の間のＸ軸方向の間隔は長くなり、軸方向長さが長手ロール製品２０の支軸２２を保持するために都合が良くなる。
【００３８】
なお、一対のパネル１２の内の一方の支柱１０の下端１０ａは、外側の差込孔７０ｂの中に差し込み、他方の支柱１０の下端１０ａは、内側の差込孔７０ａの中に差し込んでも良い。その場合には、中間の軸方向長さのロール製品２０の支軸２２を保持するために都合が良くなる。
【００３９】
連結ロッド６０は、折り畳んだ状態で、パレット４の側部にある折り畳み時用受け部５２ａ，５２ｂに着脱自在に取り付けられている。ラック２の使用時には、受け部５２ａ，５２ｂから連結ロッド６０を容易に取り出すことができ、支柱１０の上部にある連結部６２にＸ軸方向に沿って掛け渡すことで、ラック２の組み立てが完了する。
【００４０】
ラック２にロール製品２０を収容するには、各パネル１２の開閉部材３４を回動させて受け溝１４の上部開口端を解放した状態で、ロール製品２０をラック２の上から下ろし、支軸２２を受け溝１４の内部に落とし込む。その後、開閉部材３４を回動させ、受け溝１４を閉じ、止め金具３９と止め金具受け部３８とを連結する。それによりロール製品２０はラック２に固定される。
【００４１】
上述したように、本実施形態では、軸方向長さが異なるロール製品２０をラック２に取り付ける場合には、パレット４に対して一対の端壁パネル１２が取り付けられる軸方向位置をずらして、一対の端壁パネル１２をパレット４に取り付け、その後に、連結ロッド６０で端壁パネル相互を連結すればよい。したがって、異なる軸方向長さのロール製品２０でも１種類のラック２で輸送あるいは保管可能になる。
【００４２】
なお、本発明は、上述した実施形態に限定されるものではなく、本発明の範囲内で種々に改変することができる。
【００４３】
たとえば、図４に示すパレット４の各コーナー部に形成される差込孔７０ａ，７０ｂの数は、特に限定されず、各コーナー部でＸ軸方向に沿って３つ以上であっても良い。
【００４４】
また、ラック２を構成するパレット４およびパネル１２の材質は特に限定されないが、ロール製品２０の荷重を受ける部分は、スチールやステンレスなどの金属で構成することが好ましい。
【００４５】
さらに、本発明において、ロール製品２０としては、特に限定されず、たとえば磁気テープ、液晶用フィルム、金属箔、各種フィルムシート、織物などが支軸の回りに巻回してあるものなどが例示される。支軸２２は、中実棒材あるいは中空パイプでも良く、その材質は、特に限定されず、金属でもプラスチックなどでも良い。支軸２２が中空パイプである場合には、支軸２２の両端部は、キャップにより閉塞してあっても良い。
【図面の簡単な説明】
【００４６】
【図１】図１は本発明の一実施形態に係るロール製品用ラックの側面図である。
【図２】図２は図１に示すラックの正面図である。
【図３】図３は図１〜図２に示すラックにおける端壁パネルをパレットから分離した状態を示す正面図である。
【図４】図４は図１〜図３に示すパレットのみの平面図である。
【図５】図５は図１〜図３に示す端壁パネルに形成してある受け溝の要部を示す斜視図である。
【図６】図６（Ａ）および図６（Ｂ）は図１に示す連結ロッドの概略図である。
【符号の説明】
【００４７】
２…  ラック
４…  パレット
８…  底板
１０…  支柱
１２…  端壁パネル
１４…  受け溝
２０…  ロール製品
２２…  支軸
３０…  フランジ部
３２，４２…  緩衝材
３４…  開閉部材
５０…  コーナー金具
５２ａ，５２ｂ…  折り畳み時用受け部
６０…  連結ロッド
６２…  連結部
７０ａ，７０ｂ…  差込孔
【図１】
2005335747.tif 000003
【図２】
2005335747.tif 000004
【図３】
2005335747.tif 000005
【図４】
2005335747.tif 000006
【図５】
2005335747.tif 000007
【図６】
2005335747.tif 000008